(57)【要約】【課題】  室内でボーリングやゴルフのパター競技などの球技を安全に楽しくプレーすることができる室内競技遊具を提供すること。【解決手段】  中空の内部２１と連通する開口孔２２を外表面殻２３に形成した球体２と、該球体２の転がり軌道となる長尺で表面に微細な凹凸を有する巻回可能なマット３と、該マット３の一方端側に前記球体２の通過コース又は停止位置により点数を加点できる加点部４と、前記マット３の一方端側の表面の微細な凹凸と係合剥離自在な密着部５１を裏面に具備した前記加点部４の周囲を囲むフェンス５と、を具備する。【選択図】      図１
2014124352.tif 000002
【特許請求の範囲】
【請求項１】
中空の内部と連通する開口孔を外表面殻に形成した球体と、該球体の転がり軌道となる長尺で表面に微細な凹凸を有する巻回可能なマットと、該マットの一方端側に前記球体の通過コース又は停止位置により点数を加点できる加点部と、前記マットの一方端側の表面の微細な凹凸と係合剥離自在な密着部を裏面に具備した前記加点部の周囲を囲むフェンスと、を具備することを特徴とする室内球技遊具。
【請求項２】
前記球体は、柔軟性部材からなることを特徴とする請求項１記載の室内球技遊具。
【請求項３】
前記球体の開口孔は、相向かい合う外表面殻に少なくとも一対形成されていることを特徴とする請求項１又は２に記載の室内球技遊具。
【請求項４】
前記加点部は、マットの一方端側の表面に前記球体の入る凹部を複数個形成したものであることを特徴とする請求項１乃至３のいずれかに記載の室内球技遊具。
【請求項５】
前記加点部は、マットの一方端側の表面に描いた複数のマークと、該マークの上方に載置する複数のピンと、を具備することを特徴とする請求項１乃至３のいずれかに記載の室内球技遊具。
【請求項６】
前記ピンは、軽量の中空の縦長容器の中に比重の大きい粒状物を収納したものであることを特徴とする請求項５記載の室内球技遊具。
【請求項７】
前記フェンスは、前記マットの一方端縁の上方に位置する正面止材と、該正面止材の両側端にマットの両縁の上方に位置するように内向きに回転自在に固定された２つの側面止材と、を具備することを特徴とする請求項１乃至６のいずれかに記載の室内球技遊具。
【請求項８】
前記２つの側面止材のそれぞれは、前記正面止材に内向きに回転自在に固定された側面基材と、該側面基材の端部に外向きに回転自在に固定された側面先端材と、を具備することを特徴とする請求項７に記載の室内球技遊具。
【請求項９】
前記正面止材は側面止材よりも縦長であることを特徴とする請求項１乃至８のいずれかに記載の室内球技遊具。
【発明の詳細な説明】
【技術分野】
【０００１】
この発明は、室内でボーリングやゴルフのパターなどの球技を安全に楽しく簡単にすることが出来る室内球技遊具に関する。
【背景技術】
【０００２】
従来からボーリングやゴルフなどの球技レクレーションは、ルールが確立されていて多くの人に親しまれている人気のあるスポーツゲームであるために、高齢者、身体的障害者などの肉体的弱者であってもプレイしてみたいという願望が根強くあるのが実情である。しかしながら、ボーリングは街中や郊外にあるボーリング場に出かけて重いボールを投げなければならず、ゴルフに至っては更に負担が掛かって困難性を伴うために、やりたいという願望はあっても出来ないのが実情である。そこで、街中や郊外に出掛けなくとも室内で同様なルールに従ってプレイを楽しめることが出来れば最も好ましい。
【０００３】
最近に至っては、これらスポーツゲームを楽しむ方法として、例えば特許文献１に示されるような室内で体を同じように動かしつつコンピューター制御されたシュミレーション画像によって臨場感を得ることが出来る装置がある。又、ゴルフのパターの練習器具として、例えば、特許文献２に示されるようなゴルフのパッティング練習用マットがある。一方、高齢者などの肉体的弱者が多く集まる介護福祉用施設などにおいては、身体を動かしつつ全員で楽しみながら遊ぶことができる遊戯や遊戯具としては、風船ゲームや体操運動或いはダンス的なものが主流であるが、道具を用いたボーリングゲーム的なものとしては、例えば、ペットボトルに水を少量入れたものをピン代わりにして複数を床上に整列させて、少し離れた位置からバレーボール位の大きさのボールを床面上を転がして如何に多くピンを倒すかを競い合うようなゲームもある。
【先行技術文献】
【特許文献】
【０００４】
【特許文献１】特開２００１−２９３１２０号公報
【特許文献２】特開２００３−０１９２３８号公報
【発明の概要】
【発明が解決しようとする課題】
【０００５】
しかしながら、前記特許文献１及び２に開示の従来技術は、もっぱら健常者を対象としたゲームである。また、ゴルフのパターの練習器具として、特許文献２に示されるようなゴルフのパッティング練習用マットは、ゴルフ場で使用するプレー用の重くて硬いパターとゴルフボールを使用するものである為に、老人や要介護者などの肉体的弱者には不向きであり、且つ危険性をも伴うという問題点がある。一方、これらの器具や道具を使用しない高齢者、要介護者向けの遊戯や遊戯具は、老人ホームや介護福祉用施設などの入所者にとっては魅力に欠けており、とくに男性には馴染み難く、そのため肉体的にも精神的にもこうじょうがはかり良い結果が得られ難く、結果として、施設入居が敬遠されるという問題点がある。
【０００６】
この発明は上記事情に鑑みてなされたものであって、安心して、楽しく、緩やかに競い合ってプレイする間に、参加者の肉体的、精神的な両面からの向上を図ることが可能な室内球技遊具を提供することを目的とする。
【課題を解決するための手段】
【０００７】
請求項１に記載のこの発明の室内球技遊具は、中空の内部と連通する開口孔を外表面殻に形成した球体と、該球体の転がり軌道となる長尺で表面に微細な凹凸を有する巻回可能なマットと、該マットの一方端側に前記球体の通過コース又は停止位置により点数を加点できる加点部と、前記マットの一方端側の表面の微細な凹凸と係合剥離自在な密着部を裏面に具備した前記加点部の周囲を囲むフェンスと、を具備することである。
【０００８】
請求項２に記載のこの発明の室内球技遊具は、前記球体が、柔軟性部材からなることにある。
【０００９】
請求項３に記載のこの発明の室内球技遊具は、前記球体の開口孔が、相向かい合う外表面殻に少なくとも一対形成されていることにある。
【００１０】
請求項４に記載のこの発明の室内球技遊具は、前記加点部が、マットの一方端側の表面に前記球体の入る凹部を複数個形成したものであることを特徴とする請求項１乃至３のいずれかに記載の室内球技遊具。
【００１１】
請求項５に記載のこの発明の室内球技遊具は、前記加点部が、マットの一方端側の表面に描いた複数のマークと、該マークの上方に載置する複数のピンと、を具備することにある。
【００１２】
請求項６に記載のこの発明の室内球技遊具は、前記ピンが、軽量の中空の縦長容器の中に比重の大きい粒状物を収納したものであることにある。
【００１３】
請求項７に記載のこの発明の室内球技遊具は、前記フェンスが、前記マットの一方端縁の上方に位置する正面止材と、該正面止材の両側端にマットの両縁の上方に位置するように内向きに回転自在に固定された２つの側面止材と、を具備することにある。
【００１４】
請求項８に記載のこの発明の室内球技遊具は、前記２つの側面止材のそれぞれが、前記正面止材に内向きに回転自在に固定された側面基材と、該側面基材の端部に外向きに回転自在に固定された側面先端材と、を具備することにある。
【００１５】
請求項９に記載のこの発明の室内球技遊具は、前記正面止材が、側面止材よりも縦長であることにある。
【図面の簡単な説明】
【００１６】
【図１】本発明の第１実施例の全体斜視図
【図２】球体の拡大正面図
【図３】図２のＢ−Ｂ線断面図
【図４】クラブの正面図と断面説明図
【図５】図１のＡ−Ａ線断面図図
【図６】フェンスを折り畳んだ斜視図
【図７】本発明の第２実施例の全体斜視図
【図８】球体の拡大正面図
【図９】図８のＣ−Ｃ線断面図
【図１０】図８の球体をマットに置いた断面図
【図１１】第２実施例の使用例図。
【図１２】ピンの正面図と断面図
【図１３】マットとフェンスの接合説明図
【図１４】マットと加点部との接合説明図
【発明を実施するための形態】
【００１７】
この発明の最良の実施態様について説明する。図１乃至図５は、この発明の室内球技遊具１の第１実施例を示し、スポーツゲームがゴルフのパター競技に関するものである。図１において、室内球技遊具１は、中空の内部２１と連通する開口孔２２を外表面殻２３に形成した球体２と、該球体２の転がり軌道となる長尺で表面に微細な凹凸を有する巻回可能なマット３と、該マット３の一方端側に前記球体２の通過コース又は停止位置により点数を加点できる加点部４と、前記マット３の一方端側の表面の微細な凹凸と係合剥離自在な密着部５１を裏面に具備した前記加点部４の周囲を囲むフェンス５を基本構成とする。、
【００１８】
前記球体２は、合成樹脂製の柔らかく緩衝できる発泡性のものが好適であるが、これに限定されるものではない。この球体２は、図２に示すように、内部２１が中空になっており、その外表面殻２３にはこの内部２１と連通する多数の開口孔２２を形成している。この球体２の直径は５〜１０ｃｍぐらいが適当であり、開口孔２２の直径は５ｍｍ前後のでその数は１０〜２０ぐらいが適当である。これらの数値は、マット３の長さ、材質、加点部４の構成などによって変更されるので特に限定されるものではない。この構成により、クラブ６で打球しても転びすぎることもなく、跳ねることもないように、しかも人体に当たっても殆ど痛くなく安全なものとなっている。
【００１９】
クラブ６は、図４に示すように、柄６１の先端にヘッド６２の付いたもので、合成樹脂製であり、軽量化を図るためと安全のために内部が中空となっているが、これに限定されるもではない。柄６１の長さやヘッド６２の大きさ形状は適宜選択される。
【００２０】
前記マット３は、適度な柔軟性と耐火性能を有している防火カーペットで、長さが３ｍ前後で幅が６０ｃｍ前後のものが適当である。これにより、収納時や運搬時に長手方向に巻回可能で嵩張ることがなく、使用時には巻かれたマット３を転がしてほどくだけで良いので、プレーの準備や後片づけが簡単である。又、表面が適度の微細な粗さの凹凸があるので、この表面上を回転しながら走行する球体２に適度な摩擦抵抗を与え、縦横方向への滑りもなく好適である。防火カーペット以外の材質であっても、同様な性能を具備する材質であればよい。
【００２１】
前記加点部４は前記マット３の一方端側からに例えば約５０ｃｍの長さの領域で設けられている。この加点部４は、球体２がこの領域に到達したときの通過コースや停止位置により点数が加点されるスポーツゲームのポイントとなる部分である。このゴルフのパター競技のゲームの場合には、９個の円形の凹部４１が３行３列に整列して形成されている。そして、例えばマット３の長手方向の真中の列の凹部４１の３個は高得点とし、その内の更に真中の凹部４１は他の２個の凹部４１の倍の点数とし、残余の両端の列の凹部４１は低得点とするなどのように、図５に示すように、球体２が入った凹部４１の位置によって得点の値を変化させることで、取得点数の多さでゲームを競うものである。あるいは又、高得点の凹部４１の穴の径は大きくし低得点は小さくしたりして競っても良い。更には、凹部４１に代えてマッチ３の表面に円の図を描いたりマークを貼っても良いが、ボーダラインの判定で揉めることにもなりかねないので、凹部４１を形成するのが好ましい。また、円形に代えて多角形、楕円あるいはその他の形状の凹部４１としても良い。
【００２２】
凹部４１の形成は、マット３の表面を薄く削って形成したり、マット３に穴をあけてマット３を置く床面をその底としたもの、空けたの穴を塞ぐためにマット３の裏面から別の薄手の板又はシート状の面材４２を張付けたものなどでも良く、その凹部形成の仕方には限定されるものではない。
【００２３】
前記フェンス５は、図１、図５、図７に示すように、使用時の全体形状がコの字形になるように折り畳み自在に形成されており、前記マット３の一方側端の加点部４を通過する球体２がマット３から落ちないようにカバーするものである。このフェンス５は、加点部４の一方側端縁の上方に位置する正面止板５１とこの正面止板５１の両端部に設けて加点部４のマットの両縁に位置する側面止板５２を具備している。正面止板５１と側面止板５２とは蝶番５３によって内向きに、即ち、使用時におけるマット３方向に回転自在に固定されている。これにより、不使用時には側面止板５２を内側に折畳めば嵩張らずに収納保管できるし、運搬にも便利になる。しかし、側面止板５２の長さが長くなる場合には、折畳が出来ないので、これを２つ折りに出来るように、正面止板５１と蝶番５３で固定される側面基材５４とこの側面基材５４に蝶番５３を介して外向きに、即ち使用時におけるマット３と反対方向に回転自在に固定された側面先端材５５としている。このような構成とすれば、折畳んだ際には、図６に示すように、折畳んだ先端同士は重なるものの折畳が可能となる。
【００２４】
前記フェンス５を構成する正面止板５１、及び側面止板５２を構成する側面基材５４及び側面先端材５５の裏面には、密着部７が設けられている。この密着部７は、図１２に示すように、マット３の表面に係合剥離自在となるように、マット３の表面が前述のように適度の微細な粗さの凹凸がある場合には、これに係合する微細の粗さの凹凸を形成しておけば着脱自在テープと同じように何度も係合剥離できるので、ゲームの開始時、終了時における着脱作業が単純化される。しかし、この密着部７は、繰り返しマット３の表面に係合剥離自在となるものであれば、特に限定されるものではない。又、正面止板５２の縦の長さは、側面止板５２の縦の長さより短くしているのは、正面止板５２に衝突する球体２の衝撃力の方が大きいく又その衝突方向も上下方向に開きがあるからである。
【００２５】
このようなフェンス５を、加点部４の周囲に設置することにより、球体２が加点部４を通過しても正面止板５１に衝突するのでマット３から外れることがないし、また、途中で曲がった場合には側面止板５２に当たって外れることがない。このようなフェンス５を設けておくことにより、マット３から落ちた球体２を取りに行く手数が省けて、ゲームに集中できる。なお、球体２は、クラブ６を用いて、マット３の端の上方に置いた球体２を打って、入った凹部４１に記載のある点数を合計してその点数の多さを競うものである。クラブ６を使用できない時には、球体６を足で蹴っても良いし、手で投げるなどしても良い。
【００２６】
次に、図７乃至図１０に基づいて、この発明の第２実施例の室内球技遊具１０について説明する。この第２実施例はスポーツゲームがボーリングである場合を示す。前述の第１実施例と異なるところは、球体２０と加点部４０であり、マット３及びフェンス５は共通するので、同じ符号を用いてその説明は省略する。
【００２７】
球体２０はボーリングのボールに相当するものであって、図７〜図１１に示すように、自身で球体形状を維持できる程度の復元性と硬度を有する、内部２０１が中空の外表面殻２０２に、内部２０１と外部を連通する開口部２０３が少なくとも２以上形成されてなるものである。この球体２０の材質としては、柔軟性のあるゴムが適している。開口部２０３は、球体２０を握った時に空気が抜け、且つ、形が変形して握り易くするためであり、加えて開口部２０３内に指先が入ってボーリング感覚を味わうことができるようにするためである。このような球体２０であると、マット３の表面へ投げられた時にでも、開口部２０３の大きさや数に関係なく、球体２０が弾まないために投げた方向にほぼ真直ぐに加点部４０方向へと転びながら直進する利点がある。また、競技者の手を使って投げる以外にも足で蹴って球体２０を転がしてもプレイできる。球体２０の直径としては、１０〜２０ｃｍ程度が適当で、好ましくは１５ｃｍ前後である。開口部２０３の数は、最小限２個あれば良い。この時は、互いに向かい合う位置に直径は２〜５ｃｍ位の円形の開口部２０３を形成しておくのが好ましい。なお、図１０に示すように、球体２０を床面やマット３の表面に一時的に置いておく時は開口部２０３を下にして置くと回転しなくて安定しておける利点がある。
【００２８】
加点部４０は、例えばマット３の一方端側から約５０ｃｍの領域の表面に、１０個のピン８を載置する位置を印すピンマーク９を付け、この上に図１２に示すようなピン８を整列させたものである。このピン８は、ボーリング場のピンと相似小形のもので、内部８１が空洞のポリエチレンなどの合成樹脂製とするのが好ましい。そして、内部には小石などの粒状物８２が入れられて密封されていて、ピン８が球体２０によって倒されたときに音が発生してゲームの活動感覚が得られるようにしている。また、衝動的にプレーヤーがピン８を人や物に向かって投げたときにでも、重量のある粒状物８２はその重さと流動性のゆえにピン８の内部８１の進行方向の後方に集まり、且つ、その先端側がピン８の丸みを帯びた頭部になるため、危害を与えることを防止できる。
【００２９】
このような構成からなる第２実施例の室内球技遊具１０でプレイする場合には、マット３の他方端側に立って球体２０を片手で握り持ってマット３の表面上に投げて転がすだけで良い。車椅子を使用しているプレーヤーの場合には、マット３の他端側の横に車椅子を置いて効き手で球体２０をマット３の表面上で加点部４０に向かって投げて転がすだけで良い。加点部４０に球体２０が達すると、通過コースによって倒れるピン８の数に差が生じて点数を競うことが出来る。球体２０は、フェンス５によってマット３から外れて床面上に落ちることはないので、球体２０を離れた位置まで取りに行く手数が省ける。
【００３０】
もし、加点部４０に達するまでにマット３から球体２０がはみ出すことをも考慮する場合には、図１１に示すように、側面先端材５５をマット３の外側へ開いてハの字型にして、はみ出した球体２０を加点部４０にガイドするようにして使用することができる。この場合には、球体２０が当たった場合でも側面先端材５５が開いた状態を維持できるように、側面先端材５５の先端側の下方にゴムなどの摩擦抵抗の大きな部材を有する小マット３１を敷いて、この小マット３１の上面の微細な凹凸面と側面先端材５５の裏面の密着材５１とを密着させておけば安定するので好ましい。、
【００３１】
以上の２つの実施例においては、マット３の一端側に加点部４、４０が固定して形成されている場合について説明したが、図１４に示すように、マット３を共通して用いて、別途２種類の加点部４、４０を作成して、必要に応じて取り替える様にしても良い。この図１４は、ゴルフのパター競技用のもので、裏面に面材４２を貼って形成した凹部４１のある加点部４をマット３の一端側に取付けた例を示す。そして、前記第２実施例のボーリングゲームの時は、加点部４をボーリング用の加点部４０と取り替える。このようにすると、マット３を有効に使用できる。
【００３２】
以上のように、この発明の室内球技遊具によると、室内において、ゴルフのパター競技やボーリングの競技が行えるので、高齢者や要介護者の居る介護福祉用施設などにおいても、有効に活用することが出来る。とくに、使用する球体２、２０、クラブ６、ピン８のように投げ易い道具類については、柔軟な部材を使用しているので、安全である。
【産業上の利用可能性】
【００３３】
この発明の室内球技遊戯具は、とくに、デイサービス所、有料老人ホーム、軽費老人ホームなどの施設の介護福祉施設で有効に利用され、高齢者の生きがいや仲間づくり、更には意欲の啓発や目的意識を持っての日々の生活を送れ、生活改善の向上に役立つものである。
【符号の説明】
【００３４】
１、１０    室内球技遊戯具
２、２０    球体
３          マット
４、４０    加点部
５          フェンス
５１        正面止板
５２        側面止板
６          密着部
【図１】
2014124352.tif 000003
【図２】
2014124352.tif 000004
【図３】
2014124352.tif 000005
【図４】
2014124352.tif 000006
【図５】
2014124352.tif 000007
【図６】
2014124352.tif 000008
【図７】
2014124352.tif 000009
【図８】
2014124352.tif 000010
【図９】
2014124352.tif 000011
【図１０】
2014124352.tif 000012
【図１１】
2014124352.tif 000013
【図１２】
2014124352.tif 000014
【図１３】
2014124352.tif 000015
【図１４】
2014124352.tif 000016